(57)【要約】【課題】  使い勝手のよい配管材引込具を提供する。【解決手段】  配管材引込具４は、ＪＩＳＣ８４１１規格の合成樹脂製可とう電線管に適合する配管材としての波付管２を布設経路１の始点１ａから終点１ｂまで引き込むための引込具である。この配管材引込具４は、引込具本体５を備える。引込具本体５には、布設経路１の始点１ａから終点１ｂに渡って通された細長材１０が連結される連結部６と、コネクタ３が取り付けられる取付部７とが、設けられる。ここで、コネクタ３は、ＪＩＳＣ８４１２規格の合成樹脂製可とう電線管用附属品に適合し前記波付管２が接続される接続口３ａを有する。【選択図】  図１
2015023666.tif 000002
【特許請求の範囲】
【請求項１】
ＪＩＳＣ８４１１規格の合成樹脂製可とう電線管に適合する配管材としての波付管を布設経路の始点から終点まで引き込むための引込具であって、
引込具本体を備え、
前記引込具本体には、前記始点から終点に渡って通された細長材が連結される連結部と、ＪＩＳＣ８４１２規格の合成樹脂製可とう電線管用附属品に適合し前記波付管が接続される接続口を有するコネクタが取り付けられる、取付部とが、設けられることを特徴とする、配管材引込具。
【請求項２】
前記取付部は、前記コネクタに備わる雄または雌螺子部に螺合する雌または雄螺子部を有することを特徴とする、請求項１に記載の配管材引込具。
【発明の詳細な説明】
【技術分野】
【０００１】
この発明は、波付管を布設経路内に引き込むための配管材引込具に関するものである。
【背景技術】
【０００２】
従来、例えばアウター管内に波付管を引き込むのに、治具が用いられていた（例えば、特許文献１参照）。この引込用の治具は、図６に示されるように、配管材引込具としての牽引連結部材２１と、ガイド部２２との組合せからなっていた。ここで、牽引連結部材２１は、牽引線材２３が接続されるプレート状の連結部材２１ａと、筒体２１ｂとを備えていた。一方、ガイド部２２は、湾曲頭部２２ａとその後方に続く螺旋状装着部２２ｂとからなっていた。そこで、この螺旋状装着部２２ｂが、前記筒体２１ｂに前方から挿入されて、後方に位置する波付管２４の先端部分に螺合した。こうして、波付管２４が、ガイド部２２を介して牽引連結部材２１に取り付けられ、連結部材２１ａに接続された牽引線材２３を引っ張ることで、波付管２４をアウター管２５内に引き込むことができた。
【先行技術文献】
【特許文献】
【０００３】
【特許文献１】特開２０００−１９３１３７号公報
【発明の概要】
【発明が解決しようとする課題】
【０００４】
ところで、前記引込用の治具においては、配管材引込具としての牽引連結部材２１とガイド部２２との両方が、引込用の治具としての専用品であった。したがって、ガイド部２２が破損した場合に備えて、常に、その専用品であるガイド部２２を用意しておかなければならなかった。また、サイズの異なる波付管２４に対応させるには、牽引連結部材２１とガイド部２２との両方を交換しなければならなかった。このように、この配管材引込具としての牽引連結部材２１（引込用の治具）にあっては、破損に備えて、常に専用品であるガイド部２２を用意しておく必要があったり、サイズの異なる波付管２４に対応させるために、牽引連結部材２１とガイド部２２との両方を交換する必要があったりと、使い勝手がよくなかった。
【０００５】
この発明は、上記した従来の欠点を解決するためになされたものであり、その目的とするところは、使い勝手のよい配管材引込具を提供することにある。
【課題を解決するための手段】
【０００６】
この発明に係る配管材引込具は、前記目的を達成するために、次の構成からなる。すなわち、
請求項１に記載の発明に係る配管材引込具は、ＪＩＳＣ８４１１規格の合成樹脂製可とう電線管に適合する配管材としての波付管を布設経路の始点から終点まで引き込むための引込具である。この配管材引込具は、引込具本体を備える。ここで、前記引込具本体には、前記始点から終点に渡って通された細長材が連結される連結部と、ＪＩＳＣ８４１２規格の合成樹脂製可とう電線管用附属品に適合し前記波付管が接続される接続口を有するコネクタが取り付けられる、取付部とが、設けられる。
【０００７】
この配管材引込具によると、引込具本体には、細長材が連結される連結部と、コネクタが取り付けられる取付部とが設けられる。そこで、布設経路の始点から終点に渡って通された細長材に対し、その始点側で、細長材を配管材引込具の連結部に連結する。そして、この配管材引込具の取付部にコネクタを取り付け、さらに、コネクタの接続口に波付管を接続する。次いで、布設経路の終点側で、細長材を引っ張ることで、波付管を布設経路の始点から終点まで引き込むことができる。ここで、波付管は、ＪＩＳＣ８４１１規格の合成樹脂製可とう電線管に適合する配管材であって、コネクタは、ＪＩＳＣ８４１２規格の合成樹脂製可とう電線管用附属品に適合するコネクタである。このため、配管材引込具の取付部に取り付けたコネクタが破損した場合であっても、コネクタが規格品であるため、交換用のコネクタを容易に入手することができる。また、コネクタは、その接続口の複数のサイズに対して、配管材引込具の取付部へ取り付けられる部分のサイズが同一であるのが一般的であるため、複数のサイズの波付管に対して、配管材引込具は変えることなく、コネクタを変えることで対応することができる。
【０００８】
また、請求項２に記載の発明に係る配管材引込具は、請求項１に記載の配管材引込具において、前記取付部は、前記コネクタに備わる雄または雌螺子部に螺合する雌または雄螺子部を有する。
【発明の効果】
【０００９】
この発明に係る配管材引込具によれば、交換用のコネクタを容易に入手することができ、また、複数のサイズの波付管に対して、コネクタを変えることで対応することができるため、使い勝手がよい。
【図面の簡単な説明】
【００１０】
【図１】この発明の一実施の形態の、波付管を引き込む始めの状態を示す、概略の正面図である。
【図２】同じく、波付管を引き込む途中の状態を示す、斜視図である。
【図３】同じく、配管材引込具の斜視図である。
【図４】同じく、配管材引込具の平面図である。
【図５】同じく、図４におけるＡ−Ａ線による断面図である。
【図６】従来の引込用の治具を示す断面図である。
【発明を実施するための形態】
【００１１】
以下、この発明に係る配管材引込具を実施するための形態を図面に基づいて説明する。
【００１２】
図１〜図５は、本発明の一実施の形態を示す。図中符号１は、布設経路を示す。２は、ＪＩＳＣ８４１１規格の合成樹脂製可とう電線管に適合する配管材としての波付管を示す。３は、ＪＩＳＣ８４１２規格の合成樹脂製可とう電線管用附属品に適合し前記波付管２が接続される接続口３ａを有するコネクタを示す。４は、配管材引込具を示す。
【００１３】
ここで、配管材引込具４は、前記波付管２を布設経路１の始点１ａから終点１ｂまで引き込むための引込具であって、引込具本体５を備える。そして、この引込具本体５には、布設経路１の始点１ａから終点１ｂに渡って通された細長材１０が連結される連結部６と、前記コネクタ３が取り付けられる取付部７とが、設けられている。
【００１４】
具体的には、配管材引込具４は、後述する配筋１ｃ、１ｃ間に波付管２を引き込むための引込具である。この配管材引込具４は、前記引込具本体５および取付部７を有する、ゴムなどの軟質素材からなる軟質素材製の本体部材４ａと、前記連結部６を有する金属製の連結具４ｂとを備える。ここにおいて、本体部材４ａにおける引込具本体５は、平板状に形成されている。詳細には、引込具本体５は、左右に（詳しくは、斜め後方に向かって左右に）延びる基部５ａと、その基部５ａの中央および左右の位置から後方に延びる複数本（詳しくは、三本）の延設部５ｂ、５ｂとからなる。そして、延設部５ｂ、５ｂの延びた各先端に、前記取付部７が筒状に膨出するように設けられる。ここで、中央の延設部５ｂが、左右の延設部５ｂよりも後方に長く延びており、取付部７は、中央の取付部７が、左右の取付部７よりも後方に突出位置している。そして、この中央の延設部５ｂの長さは、本体部材４ａの前後の長さを決め、その長さは、後述する配筋１ｃ、１ｃの間隔より長くなっている。
【００１５】
取付部７は、コネクタ３に備わる雄または雌螺子部３ｂに螺合する雌または雄螺子部７ａを有し、図示実施の形態においては、螺子部７ａは、取付部７の内周面に設けられた雌ねじからなる。そして、螺子部３ｂ、７ａは、例えば、ＪＩＳＢ０２０２規格の管用平行ねじに適合するものであって、Ｇ１／２ねじとか、Ｇ３／４ねじとかが用いられる。また、この取付部７の基端部７ｂは、引込具本体５側ほど径小となる錐状に形成されている。
【００１６】
また、延設部５ｂ、５ｂどうしは、十分間隔をあけて位置している。このため、取付部７、７に取り付けられるコネクタ３、３どうしや、コネクタ３、３に接続される波付管２、２どうしも、離れて位置し、コネクタ３、３の取付作業や波付管２、２の接続作業を、互いが邪魔になることなく円滑に進めることができる。
【００１７】
連結具４ｂは、引込具本体５（本体部材４ａ）の基部５ａの先端に、連結部６が露出するようにして取り付けられている。詳しくは、連結具４ｂは、引込具本体５（本体部材４ａ）に、インサートされて取り付けられており、連結部６には、連結用の孔６ａがあけられている。
【００１８】
コネクタ３は、筒状に形成されて、その一端側に前記接続口３ａを有し、他端側に前記雄または雌螺子部３ｂ（図示実施の形態においては、雄ねじ）が形成された被取付部３ｃを有する。ここにおいて、接続口３ａの内周部には、その接続口３ａに挿入された波付管２の外周面の凹凸に係合する係合爪あるいは係合片（図示せず）が設けられており、この係合爪あるいは係合片によって、波付管２は、コネクタ３に対して抜け止めされる。
【００１９】
細長材１０は、図示実施の形態においては、合成樹脂製とか金属製であって、可撓性を有し、帯状に形成されている。この細長材１０は、配管材引込具４を引っ張って波付管２を引き込むためのものである。また、細長材１０は、予め、布設経路１に配置されるものであって、その配置にあたっては、例えば、布設経路１における終点１ｂ側から、始点１ａに向かって押し進められる。
【００２０】
次に、以上の構成からなる配管材引込具４の作用効果について説明する。この配管材引込具４によると、引込具本体５には、可撓性を有する細長材１０が連結される連結部６と、コネクタ３が取り付けられる取付部７とが設けられる。そこで、図１に示すように、布設経路１の始点１ａから終点１ｂに渡って通された細長材１０に対し、その始点１ａ側で、細長材１０を配管材引込具４の連結部６に連結する（図示実施の形態においては、スイベル１１を介して連結する）。そして、この配管材引込具４の取付部７にコネクタ３を取り付け、さらに、コネクタ３の接続口３ａに波付管２を接続する。次いで、布設経路１の終点１ｂ側で、細長材１０を引っ張ることで、波付管２を布設経路１の始点１ａから終点１ｂまで引き込むことができる。なお、図示実施の形態においては、布設経路１は、鉄筋コンクリート構造物における、配筋１ｃを配置した後であってコンクリートの打設前の状態での、配筋１ｃ、１ｃ間の隙間を通る経路となっている（図１、図２参照）。
【００２１】
ここで、波付管２は、ＪＩＳＣ８４１１規格の合成樹脂製可とう電線管に適合する配管材であって、コネクタ３は、ＪＩＳＣ８４１２規格の合成樹脂製可とう電線管用附属品に適合するコネクタである。このため、配管材引込具４の取付部７に取り付けたコネクタ３が破損した場合であっても、コネクタ３が規格品であるため、交換用のコネクタを容易に入手することができる。また、コネクタ３は、その接続口３ａの複数のサイズに対して、配管材引込具４の取付部７へ取り付けられる部分のサイズが同一であるのが一般的であるため、複数のサイズの波付管２、２に対して、配管材引込具４は変えることなく、コネクタ３を変えることで対応することができる。すなわち、この配管材引込具４によれば、交換用のコネクタ３を容易に入手することができ、また、複数のサイズの波付管２、２に対して、コネクタ３を変えることで対応することができるため、使い勝手がよい。
【００２２】
また、引込具本体５は、ゴムなどの軟質素材製であって平板状に形成されている。このため、配管材引込具４を布設経路１に入れるときとか、布設経路１から取り出すときに、引込具本体５は、容易に湾曲し変形する。そして、平板状の延設部５ｂは、複数本（詳しくは、３本）が、その板面に沿う方向である左右方向に並んでいるため、延設部５ｂ、５ｂどうしが近づいたり離れたりする方向には変形し難い。したがって、延設部５ｂ、５ｂどうしの間隔、ひいては、取付部７、７どうしの間隔、コネクタ３、３どうしの間隔、そして、波付管２、２どうしの間隔を一定に保つことができる。
【００２３】
なお、本発明は、上述した実施の形態に限定されるわけではなく、その他種々の変更が可能である。例えば、配管材引込具４は、配筋１ｃ、１ｃ間に波付管２を引き込む以外に、ダクト内等に波付管２を引き込むのに用いてもよい。
【００２４】
また、配管材引込具４には、三つの取付部７、７が設けられるが、この取付部７は、一つであってもよく、二つとか四つ以上設けられてもよい。
【００２５】
また、被取付部３ｃと取付部７とは、ねじ構造によって結合するものでなくとも、その他の結合手段によるものであってもよい。
【００２６】
また、引込具本体５は、ゴムなどの軟質素材製でなくとも、硬質素材製であってもよく、例えば、平板状に形成された硬質合成樹脂とか、平板状の金属板等であって、湾曲可能となるものであれば、どのような材料が用いられてもよい。また、配管材引込具４が使用される状況によっては、必ずしも、引込具本体５が湾曲可能となっていなくともよい。
【符号の説明】
【００２７】
１  布設経路
１ａ  始点
１ｂ  終点
２  波付管
３  コネクタ
３ａ  接続口
３ｂ  雄または雌螺子部
４  配管材引込具
５  引込具本体
６  連結部
７  取付部
７ａ  雌または雄螺子部
１０  細長材
【図１】
2015023666.tif 000003
【図２】
2015023666.tif 000004
【図３】
2015023666.tif 000005
【図４】
2015023666.tif 000006
【図５】
2015023666.tif 000007
【図６】
2015023666.tif 000008